(57)【要約】【課題】  保持器ポケット内での通油性を向上させて軸受寿命を延ばすことができる樹脂製の保持器付きころを提供する。【解決手段】  保持器付きころは、円周方向の複数箇所にポケット３を有する樹脂成形品からなる環状の保持器１と、前記各ポケット３内に保持される複数のころからなる。各ポケット３は、その両側面からそれぞれ内方に突出してポケット３内のころを案内する複数のころ案内面部３ｃを有する。各ポケット３の一側面のころ案内面部３ｃの軸方向位置と、他側面のころ案内面部３ｃの軸方向位置とは互いに異ならせる。【選択図】      図３
2011214702.tif 000002
【特許請求の範囲】
【請求項１】
円周方向の複数箇所にポケットを有する樹脂成形品からなる環状の保持器と、前記各ポケット内に保持される複数のころからなり、前記各ポケットは、このポケット内の両側面からそれぞれ内方に突出してポケット内のころを案内する複数のころ案内面部と、ポケット内の両側面から内方にそれぞれ突出して、ポケットから前記ころが脱落するのを阻止するころ止め部とを有する保持器付きころにおいて、
前記各ポケットの一側面のころ案内面部の軸方向位置と他側面のころ案内面部の軸方向位置を互いに異ならせたことを特徴とする保持器付きころ。
【請求項２】
請求項１において、前記各ころ案内面部を前記ころ止め部と同じ軸方向位置に配置した保持器付きころ。
【請求項３】
請求項１または請求項２において、前記一側面のころ案内面部と他側面のころ案内面部は、軸方向位置が互いに重なり合う部分を有しない保持器付きころ。
【請求項４】
請求項１ないし請求項３のいずれか１項において、隣り合うポケット間で、前記ころ案内面部の軸方向位置を互いに異ならせた保持器付きころ。
【請求項５】
請求項１ないし請求項４のいずれか１項において、前記ころ案内面部の正面形状を、ポケット外径側が狭幅となる台形状または三角形状とした保持器付きころ。
【請求項６】
請求項１ないし請求項５のいずれか１項において、前記ころ案内面部に油だまりとなるディンプルを設けた保持器付きころ。
【請求項７】
請求項６において、前記ころ止め部にも、油だまりとなるディンプルを設けた保持器付きころ。
【請求項８】
請求項１ないし請求項５のいずれか１項において、前記ころ案内面部に、保持器の径方向に延びる溝を設けた保持器付きころ。
【請求項９】
請求項８において、前記ころ案内面部の溝の溝幅をポケット外径側に向けて広くした保持器付きころ。
【請求項１０】
円周方向の複数箇所にころを保持するポケットを有し、これらの各ポケットは、その両側面からそれぞれ内方に突出してポケット内のころを案内する複数のころ案内面部と、その両側面から内方にそれぞれ突出して、ポケットから前記ころが脱落するのを阻止するころ止め部とを有する樹脂成形品からなる環状の保持器において、
前記各ポケットの一側面のころ案内面部の軸方向位置と他側面のころ案内面部の軸方向位置を互いに異ならせたことを特徴とする保持器。
【発明の詳細な説明】
【技術分野】
【０００１】
この発明は、保持器を樹脂成形品とした保持器付きころに関する。
【背景技術】
【０００２】
この種の保持器付きころでは、図１３に示すように、環状の保持器１１の周方向の複数箇所にころを保持するポケット１３が形成され、各ポケット１３の両側面の外径側にころが外径側へ脱落するのを阻止するころ止め部１３ａが設けられる。従来例の場合、ポケット１３の一側面に設けられるころ止め部１３ａと他側面に設けられるころ止め部１３ａとが、周方向に対向し合う位置、つまり同一軸方向位置に設けられている（例えば特許文献１）。また、各ポケット１３の両側面には、図１４に断面図で示すように、ポケット１３の内方に突出して、ポケット１３内のころを案内する複数のころ案内面部１３ｃが径方向に長く延びる長方形の帯状に設けられる。これらのころ案内面部１３ｃは、前記ころ止め部１３ａと同じ軸方向位置に設けられる場合が多い。
【先行技術文献】
【特許文献】
【０００３】
【特許文献１】特開平７−２９３５６９号公報
【発明の開示】
【発明が解決しようとする課題】
【０００４】
しかし、上記した従来例の場合、保持器１１におけるポケット１３の両側面のころ案内面部１３ｃが同じ軸方向位置で互いに対向し合うことになる。このため、ポケット１３にころを組み込むと、ポケット内面から内方に突出するころ案内面部１３ｃが位置する軸方向位置では、ころとポケット内面との周方向隙間が非常に狭くなる。その結果、ポケット１３内における通油性が悪くなって、油膜切れ（特にころ止め部１３ａで起こり易い）に起因する軸受損傷が起こる場合もあった。
【０００５】
この発明の目的は、保持器ポケット内での通油性を向上させて軸受寿命を延ばすことができる樹脂製の保持器付きころを提供することである。
【課題を解決するための手段】
【０００６】
この発明の保持器付きころは、円周方向の複数箇所にポケットを有する樹脂成形品からなる環状の保持器と、前記各ポケット内に保持される複数のころからなり、前記各ポケットは、このポケット内の両側面からそれぞれ内方に突出してポケット内のころを案内する複数のころ案内面部と、ポケット内の両側面から内方にそれぞれ突出して、ポケットから前記ころが脱落するのを阻止するころ止め部とを有する保持器付きころにおいて、前記各ポケットの一側面のころ案内面部の軸方向位置と他側面のころ案内面部の軸方向位置を互いに異ならせたことを特徴とする。
【０００７】
この構成によると、保持器の各ポケットの一側面のころ案内面部と他側面のころ案内面部の軸方向位置とを互いに異ならせたので、ころ案内面部の位置する軸方向位置でのポケット内面ところとの間の周方向隙間を大きくすることができる。そのため、それだけポケット内での通油性を向上させることができ、これにより、保持器付きころの潤滑状態が良好となり、軸受寿命を延ばすことができる。
【０００８】
この発明において、前記各ころ案内面部を前記ころ止め部と同じ軸方向位置に配置しても良い。ころ案内面部は、必ずしもころ止め部と同じ軸方向位置でなくても良いが、同じ軸方向位置とすることが、製造上の都合等で有利なため、同じ軸方向位置とされる場合が多い。このように同じ軸方向位置とした場合に、一側面のころ案内面部他側面のころ案内面部の軸方向位置を互いに異ならせたことによる、ポケット内での通油性向上の効果がより効果的に得られる。
【０００９】
この発明において、前記一側面のころ案内面部と他側面のころ案内面部は、軸方向位置が互いに重なり合う部分を有しないものとしても良い。互いに重なり合う部分を有しない程度に両側面のころ案内面部の位置をずらせることにより、ころ案内面部の位置する軸方向位置でのポケット内面ところとの間の周方向隙間をより大きくすることができる。これにより、ポケット内での通油性をさらに向上させることができる。
【００１０】
この発明において、隣り合うポケット間で、前記ころ案内面部の軸方向位置を互いに異ならせても良い。
この構成の場合、各ポケットにおいて、その一側面のころ案内面部の軸方向位置と、他側面のころ案内面部の軸方向位置を互いに異ならせるだけでなく、隣り合うポケット間でも、ころ案内面部の軸方向位置を互いに異ならせているので、保持器全体として、ころ案内面部の軸方向位置をそれだけ分散させることができ、ポケット内での通油性を軸方向位置を問わず均等化することができる。
【００１１】
この発明において、前記ころ案内面部の正面形状を、ポケット外径側が狭幅となる台形状または三角形状としても良い。
このように、ころ案内面部の正面形状を、ポケット外径側が狭幅となる台形状や三角形状とした場合、外径側でのころ案内面部間と間隔が広がるため、外径側への潤滑油の流れが良くなり、油膜切れを起こし易い外径側のころ止め部に対してより多くの潤滑油を供給することができる。
【００１２】
この発明において、前記ころ案内面部に油だまりとなるディンプルを設けても良い。ディンプルを設けることで、ころ案内面部ところとの間での油膜切れを防止できる。
この構成の場合に、前記ころ止め部にも油だまりとなるディンプルを設けても良い。この構成の場合、ころ止め部で起こり易い油膜切れも防止できる。
【００１３】
この発明において、前記ころ案内面部に、保持器の径方向に延びる溝を設けても良い。この構成の場合、溝によりころ案内面部ところとの間での潤滑油の流れが良くなり、通油性をさらに向上させることができる。
【００１４】
前記ころ案内面部の溝の溝幅は、ポケット外径側に向けて広くしても良い。ポケット外径側に向けて溝幅を広げることで、溝によるポケット外径側への潤滑油の流れがより良くなり、通油性をさらに向上させることができる。
【００１５】
この発明の保持器は、円周方向の複数箇所にころを保持するポケットを有し、これらの各ポケットは、その両側面からそれぞれ内方に突出してポケット内のころを案内する複数のころ案内面部と、その両側面から内方にそれぞれ突出して、ポケットから前記ころが脱落するのを阻止するころ止め部とを有する樹脂成形品からなる環状の保持器において、前記各ポケットの一側面のころ案内面部の軸方向位置と他側面のころ案内面部の軸方向位置を互いに異ならせたことを特徴とする。
この構成によると、各ポケットの一側面のころ案内面部の軸方向位置と、他側面のころ案内面部の軸方向位置を互いに異ならせているので、ころ案内面部の位置する軸方向位置でのポケット内面ところとの間の周方向隙間を大きくすることができ、それだけポケット内での通油性を向上させることができる。これにより、この保持器を用いた保持器付きころの潤滑状態が良好となり、軸受寿命を延ばすことができる。
【発明の効果】
【００１６】
この発明の保持器付きころは、円周方向の複数箇所にポケットを有する樹脂成形品からなる環状の保持器と、前記各ポケット内に保持される複数のころからなり、前記各ポケットは、このポケット内の両側面からそれぞれ内方に突出してポケット内のころを案内する複数のころ案内面部と、ポケット内の両側面から内方にそれぞれ突出して、ポケットから前記ころが脱落するのを阻止するころ止め部とを有する保持器付きころにおいて、前記各ポケットの一側面のころ案内面部の軸方向位置と他側面のころ案内面部の軸方向位置を互いに異ならせたため、ポケット内での通油性を向上させて軸受寿命を延ばすことができる。
この発明の保持器は、円周方向の複数箇所にころを保持するポケットを有し、これらの各ポケットは、その両側面からそれぞれ内方に突出してポケット内のころを案内する複数のころ案内面部と、その両側面から内方にそれぞれ突出して、ポケットから前記ころが脱落するのを阻止するころ止め部とを有する樹脂成形品からなる環状の保持器において、前記各ポケットの一側面のころ案内面部の軸方向位置と他側面のころ案内面部の軸方向位置を互いに異ならせたため、ポケット内での通油性を向上させることができ、この保持器を用いた保持器付きころの軸受寿命を延ばすことができる。
【図面の簡単な説明】
【００１７】
【図１】この発明の第１の実施形態に係る保持器付きころの部分側面断面図である。
【図２】同保持器付きころの部分拡大正面断面図である。
【図３】同保持器付きころにおける保持器を外径側から見た部分展開図である。
【図４】同保持器の側面断面図である。
【図５】この発明の他の実施形態に係る保持器付きころにおける保持器を外径側から見た部分展開図である。
【図６】この発明のさらに他の実施形態に係る保持器付きころにおける保持器を外径側から見た部分展開図である。
【図７】この発明のさらに他の実施形態に係る保持器付きころにおける保持器を外径側から見た部分展開図である。
【図８】この発明のさらに他の実施形態に係る保持器付きころにおける保持器の側面断面図である。
【図９】この発明のさらに他の実施形態に係る保持器付きころにおける保持器の側面断面図である。
【図１０】この発明のさらに他の実施形態に係る保持器付きころにおける保持器の側面断面図である。
【図１１】この発明のさらに他の実施形態に係る保持器付きころにおける保持器の側面断面図である。
【図１２】この発明のさらに他の実施形態に係る保持器付きころにおける保持器の部分側面断面図である。
【図１３】従来例における保持器を外径側から見た部分展開図である。
【図１４】従来例における保持器の側面断面図である。
【発明を実施するための形態】
【００１８】
この発明の第１の実施形態を図１ないし図４と共に説明する。この保持器付きころは、図１および図２に部分側面断面図および部分正面断面図で示すように、円周方向の複数箇所にポケット３を有する樹脂成形品である環状の保持器１と、各ポケット３内に保持される複数のころ２とでなる。保持器１の各ポケット３は軸方向に延びる矩形状の長窓形とされている。各ポケット３の内面における軸方向に延びる両側面には、ポケット３内に挿入されたころ２が外径側に脱落するのを阻止するころ止め部３ａと、内径側に脱落するのを阻止するころ止め部３ｂとが、それぞれ突起状部分として形成されている。つまり、隣り合うポケット３で挟まれて軸方向に延びる柱部４の両側縁の外径側および内径側の縁に、前記ころ止め部３ａ，３ｂが、ポケット３内に向けた突起状部分として形成されている。ここでは、外径側のころ止め部３ａが軸方向に離して２つ設けられ、内径側のころ止め部３ｂも軸方向に離して２つ設けられている。ころ２は、これら両ころ止め部３ａ，３ｂに係合することで、ポケット３内に保持される。
【００１９】
外径側から見た保持器１の部分展開図を図３に示す。同図のように、ポケット３の一側面（同図の上側の側面）における外径側のころ止め部３ａの軸方向位置と、他側面（同図の下側の側面）における外径側のころ止め部３ａの軸方向位置は互いに異ならせてある。具体的には、ポケット３の一側面の２つのころ止め部３ａは、他側面の対向する２つのころ止め部３ａよりも若干内側寄りの軸方向位置に設けられている。すなわち、ここでは対向する２つのころ止め部３ａは、軸方向位置が互いに重なり合う部分を一部に有する状態として、軸方向位置を互いに異ならせてある。
【００２０】
また、ポケット３の両側面には、前記外径側の各ころ止め部３ａと同一軸方向位置に、その両側面から内方に突出して、ポケット３内のころ２を案内する複数のころ案内面部３ｃが、径方向に延びて帯状に設けられている。したがって、これらのころ案内面部３ｃの軸方向位置の関係は、外径側の各ころ止め部３ａの間での軸方向位置関係と同じである。すなわち、ポケット３の一側面に設けられた２つのころ案内面部３ｃの軸方向位置と、他側面に設けられた２つのころ案内面部３ｃの軸方向位置とは、互いに異ならせてある。対向する２つのころ案内面部３ｃについても、軸方向位置が互いに重なり合う部分を一部に有している。
【００２１】
図４に保持器１の側面断面図を示すように、この実施形態では、ころ案内面部３ｃの正面形状を、ポケット外径側が狭幅となる三角形状としている。ころ案内面部３ｃは、より詳しくは、ポケット３の内面から段差を持って突出する台状の部分であり、内径側端は保持器１の内周面に達し、外径側端はころ止め部３ａに達している。ポケット３の両側の側面は、例えば図２に示すように互いに平行な平面であり、その場合、ころ案内面部３ｃのポケット中心側を向く面であるころ案内面も、例えば平面とされる。ポケット３の両側の側面およびころ案内面部３ｃは、平面に限らず、例えば、ころ２の外周面の曲率半径よりも大きな曲率半径の断面円弧状の面等であっても良い。ころ止め部３ａやころ案内面に対する両側の側面は、ポケットの側面に対して垂直な垂直面であっても、傾斜面であっても、また曲面であっても良い。なお、ポケット３の同じ側面における外径側のころ止め部３ａと内径側のころ止め部３ｂとは、同図に示すように互いに軸方向位置を異ならせてある。
【００２２】
この構成の保持器付きころによると、樹脂成形品からなる保持器１の各ポケット３の一側面のころ案内面部３ｃの軸方向位置と、他側面のころ案内面部３ｃの軸方向位置を互いに異ならせているので、ころ案内面部３ｃの位置する軸方向位置でのポケット内面ところ２との間の周方向隙間を大きくすることができ、それだけポケット３内での通油性を向上させることができる。これにより、保持器付きころの潤滑状態が良好となり、軸受寿命を延ばすことができる。
【００２３】
また、この実施形態では、ころ案内面部３ｃの正面形状を、ポケット外径側が狭幅となる三角形状としているので、外径側への潤滑油の流れが良くなり、油膜切れを起こし易い外径側のころ止め部３ａにより多くの潤滑油を供給することができる。なお、ころ案内面部３ｃの正面形状については、図１４に示す従来例のように径方向に延びる長方形としても良く、この場合にもポケット３内での通油性向上の効果を上げることができることは勿論である。
【００２４】
図５は、この発明の保持器付きころの他の実施形態における保持器を外径側から見た部分展開図を示す。この実施形態では、図１〜図４に示した実施形態において、各ポケット３の両側面の外径側のころ止め部３ａの軸方向位置が、互いに重なり合う部分を有しない状態となるように異ならせてある。つまり、ころ案内面部３ｃに関しても、ポケット３の一側面のころ案内面部３ｃと他側面のころ案内面部３ｃは、軸方向位置が互いに重なり合う部分を有しないようにされている。具体的には、ポケット３の一側面の左側のころ案内面３ｃはより内側（右寄り）に偏らせて、また一側面の右側のころ案内面部３ｃもより内側（左寄り）に偏らせて位置させてある。その他の構成は、図１〜図４に示した実施形態の場合と同様である。
【００２５】
この実施形態の場合、各ポケット３の両側面のころ案内面部３ｃの軸方向位置が、互いに重なり合う部分を有しない状態となるように設定されているので、ころ案内面部３ｃの位置する軸方向位置でのポケット内面ところ２との間の周方向隙間をより大きくすることができ、ポケット３内での通油性をさらに向上させることができる。
【００２６】
図６は、この発明の保持器付きころのさらに他の実施形態における保持器を外径側から見た部分展開図を示す。この実施形態でも、図１〜図４に示した実施形態において、各ポケット３の両側面の外径側のころ止め部３ａの軸方向位置が、互いに重なり合う部分を有しない状態となるように異ならせてある。つまり、ころ案内面部３ｃに関しても、ポケット３の一側面のころ案内面部３ｃと他側面のころ案内面部３ｃは、軸方向位置が互いに重なり合う部分を有しないようにされている。具体的には、ポケット３の両側面のころ案内面部３ｃが互いに対向し合う従来例の状態（図１３）から、一側面の２つのころ案内面３ｃを共に所定距離（ころ案内面部３ｃの幅寸法の１／２以上）だけ左寄りに偏らせ、また他側面の２つのころ案内面部３ｃも共に所定距離だけ右寄りに偏らせている。その他の構成は、図１〜図４に示した実施形態の場合と同様である。
【００２７】
この実施形態の場合も、各ポケット３の両側面のころ案内面部３ｃの軸方向位置が、互いに重なり合う部分を有しない状態となるように設定されているので、ころ案内面部３ｃの位置する軸方向位置でのポケット内面ところ２との間の周方向隙間をより大きくすることができ、ポケット３内での通油性をさらに向上させることができる。
【００２８】
図７は、この発明の保持器付きころのさらに他の実施形態における保持器を外径側から見た部分展開図を示す。この実施形態では、各ポケット３において、その一側面のころ案内面部３ｃの軸方向位置と、他側面のころ案内面部３ｃの軸方向位置を互いに異ならせるだけでなく、隣り合うポケット３，３間でも、ころ案内面部３ｃの軸方向位置を互いに異ならせている。具体的には、隣り合うポケット３のうち、一方のポケット３（同図における上側のポケット３）でのころ案内面部３ｃの軸方向位置関係を図５の実施形態の場合と同様とし、他方のポケット３（同図における下側のポケット３）でのころ案内面部３ｃの軸方向位置関係を図６の実施形態の場合と同様としている。その他の構成は、図１〜図４に示した実施形態の場合と同様である。
【００２９】
この実施形態の場合、各ポケット３において、その一側面のころ案内面部３ｃの軸方向位置と、他側面のころ案内面部３ｃの軸方向位置を互いに異ならせるだけでなく、隣り合うポケット３間でも、ころ案内面部３ｃの軸方向位置を互いに異ならせているので、保持器全体として、ころ案内面部３ｃの軸方向位置をそれだけ分散させることができ、ポケット３内での通油性を軸方向位置を問わず均等化することができる。その他の効果は図１〜図４に示した実施形態の場合と同様である。
【００３０】
図８は、この発明の保持器付きころのさらに他の実施形態における保持器の側面断面図を示す。この実施形態では、ころ案内面部３ｃの正面形状を、図４に示した三角形状から、ポケット外径側が狭幅となる台形状に変更したものである。その他の構成は、例えば図１〜図４に示した実施形態の場合と同様である。
【００３１】
この実施形態の場合も、ころ案内面部３ｃはポケット外径側が狭幅となる正面形状であるため、外径側への潤滑油の流れが良くなり、油膜切れを起こし易い外径側のころ止め部３ａにより多くの潤滑油を供給することができる。その他の効果は、図１〜図４に示した実施形態の場合と同様である。
【００３２】
図９は、この発明の保持器付きころのさらに他の実施形態における保持器の側面断面図を示す。この実施形態では、ころ案内面部３ｃの正面形状を従来例（図１４）の場合と同様の長方形とするが、このころ案内面部３ｃの正面中央に径方向に延びる溝５を付加している。溝５は、保持器１の内径面からころ止め部３ａまで延びて設けられている。溝５の断面形状は矩形であっても円弧状であっても良い。溝５の深さは、例えば、ころ案内面部３ｃがポケット３内の側面からの突出高さと同程度かそれよりも浅い深さとされている。その他の構成は図１〜図４に示した実施形態の場合と同様である。
【００３３】
この実施形態の場合、ころ案内面部３ｃの正面中央に径方向に延びる溝５を付加しているので、その溝５により外径側への潤滑油の流れが良くなり、油膜切れを起こし易い外径側のころ止め部３ａにより多くの潤滑油を供給することができる。その他の効果は、図１〜図４に示した実施形態の場合と同様である。
【００３４】
図１０は、この発明の保持器付きころのさらに他の実施形態における保持器の側面断面図を示す。この実施形態では、ころ案内面部３ｃの正面形状を図８の実施形態の場合と同様の台形とすると共に、このころ案内面部３ｃの正面中央に径方向に延びる溝５を、図９の例と同様に付加している。その他の構成は図１〜図４に示した実施形態の場合と同様である。
【００３５】
この実施形態の場合、ころ案内面部３ｃの正面形状をポケット外径側が狭幅となる台形とすると共に、ころ案内面部３ｃの正面中央に径方向に延びる溝５を付加しているので、ポケット外径側が狭幅となるころ案内面部３の正面形状と付加された溝５とにより、外径側への潤滑油の流れがさらに良くなり、油膜切れを起こし易い外径側のころ止め部３ａにより多くの潤滑油を供給することができる。その他の効果は、図１〜図４に示した実施形態の場合と同様である。
【００３６】
図１１は、この発明の保持器付きころのさらに他の実施形態における保持器の側面断面図を示す。この実施形態では、ころ案内面部３ｃの正面形状を従来例（図１４）の場合と同様の長方形とするが、このころ案内面部３ｃの正面中央に図９の実施形態の場合と同様に径方向に延びる溝５を付加し、かつ、その溝５の正面形状を外径側が広幅となる逆台形としている。その他の構成は図１〜図４に示した実施形態の場合と同様である。
【００３７】
この実施形態の場合、正面形状を長方形としたころ案内面部３ｃの正面中央に径方向に延びる正面形状が逆台形の溝５を付加しているので、ころ案内面部３ｃの正面形状が従来例の場合と同様の長方形であっても、正面形状を逆台形とした溝５により外径側への潤滑油の流れが良くなり、油膜切れを起こし易い外径側のころ止め部３ａにより多くの潤滑油を供給することができる。その他の効果は、図１〜図４に示した実施形態の場合と同様である。
【００３８】
なお、上記した各実施形態において、図１２に示すように、ころ案内面部３ａのころ案内面に油だまりとなる一つまたは複数のディンプル７を設けても良い。同図は、図１〜図４に示す第１の実施形態において、ディンプル７を設けた例を示す。このように、ころ案内面部３ａにディンプルを設けることにより、ころ案内面部３ａところ２との間での油膜切れを防止できる。さらに、外径側のころ止め部３ａにも、上記ディンプル７と同様の油だまりとなる一つまたは複数のディンプル８を設けても良い。このように、外径側のころ止め部３ａにもディンプル８を設けることにより、外径側のころ止め部３ａで起こり易い油膜切れも防止できる。
【００３９】
また、上記した各実施形態では、外径側のころ止め部３ａと同一軸方向位置にころ案内面部３ｃを設けた場合について説明したが、ころ案内面部３ｃは外径側のころ止め部３ａとは異なる軸方向位置に設けても良い。
【符号の説明】
【００４０】
１…保持器
２…ころ
３…ポケット
３ａ…外径側のころ止め部
３ｂ…内径側のころ止め部
３ｃ…ころ案内面部
４…柱部
５…溝
７，８…ディンプル
【図１】
2011214702.tif 000003
【図２】
2011214702.tif 000004
【図３】
2011214702.tif 000005
【図４】
2011214702.tif 000006
【図５】
2011214702.tif 000007
【図６】
2011214702.tif 000008
【図７】
2011214702.tif 000009
【図８】
2011214702.tif 000010
【図９】
2011214702.tif 000011
【図１０】
2011214702.tif 000012
【図１１】
2011214702.tif 000013
【図１２】
2011214702.tif 000014
【図１３】
2011214702.tif 000015
【図１４】
2011214702.tif 000016